(57)【要約】【課題】エリア指定懸賞に応募したユーザの携帯端末からの位置情報を元にエリア内のユーザに対して抽選を行う携帯端末の位置情報によるエリア指定権限付与システムを提供する。【解決手段】エリア管理サーバ１はインターネット２に接続され、エリア指定懸賞を実施する企業端末５はインターネット２に接続可能であり、ユーザ端末４は携帯電話交換網３を介してインターネット２に接続可能な携帯端末であり、ＧＰＳ衛星６からの測位情報に基づき自らの位置を特定する機能を有する。ユーザ端末は、エリア管理サーバにアクセスしてホームページ上に提供されたエリア指定懸賞に応募し、位置特定機能により自らの位置を特定してエリア管理サーバに現在位置情報を送信し、エリア管理サーバは、予め設定されたエリア内のユーザ端末に対してエリア指定懸賞の抽選を行う。【選択図】      図１
2004254206.tif 000002
【特許請求の範囲】
【請求項１】
ネットワークに接続され、エリア指定権限付与サービスを提供するエリア管理サーバと、自らの位置を特定する機能を有すると共にブラウザを搭載して前記ネットワークに接続可能な携帯端末とを備え、
前記携帯端末は、前記エリア管理サーバにアクセスしてホームページ上に提供されたエリア指定権限付与に応募し、前記位置特定機能により自らの位置を特定して前記エリア管理サーバに現在位置情報を送信し、
前記エリア管理サーバは、前記携帯端末からの現在位置情報を受けて、予め設定されたエリア内の前記携帯端末に対してエリア指定権限付与を行うことを特徴とする携帯端末の位置情報によるエリア指定権限付与システム。
【請求項２】
前記エリア管理サーバは、前記携帯端末からの現在位置情報を受けて、予め設定された期間内に設定エリア内に居る携帯端末の位置情報を記憶装置に蓄積し、
前記設定された期間内に設定エリア内に居る前記携帯端末に対してエリア指定権限付与の抽選を行うことを特徴とする請求項１記載の携帯端末の位置情報によるエリア指定権限付与システム。
【請求項３】
ブラウザを搭載して前記ネットワークに接続可能な主催者端末をさらに備え、
前記主催者端末は、前記エリア管理サーバにアクセスしてログインし、エリア指定権限付与サービスの実施条件を指定して申し込むことを特徴とする請求項１又は２記載の携帯端末の位置情報によるエリア指定権限付与システム。
【請求項４】
ネットワークに接続され、エリア指定権限付与サービスを提供するエリア管理サーバと、自らの位置を特定する機能を有すると共にブラウザを搭載して前記ネットワークに接続可能な携帯端末とを備えたシステムにおいて、
前記携帯端末が、前記エリア管理サーバにアクセスしてホームページ上に提供されたエリア指定権限付与に応募し、前記位置特定機能により自らの位置を特定して前記エリア管理サーバに現在位置情報を送信し、
前記エリア管理サーバが、前記携帯端末からの現在位置情報を受けて、予め設定されたエリア内の前記携帯端末に対してエリア指定権限付与を行うことを特徴とする携帯端末の位置情報によるエリア指定権限付与方法。
【請求項５】
前記エリア管理サーバが、前記携帯端末からの現在位置情報を受けて、予め設定された期間内に設定エリア内に居る携帯端末の位置情報を記憶装置に蓄積し、
前記設定された期間内に設定エリア内に居る前記携帯端末に対してエリア指定権限付与の抽選を行うことを特徴とする請求項４記載の携帯端末の位置情報によるエリア指定権限付与方法。
【請求項６】
ブラウザを搭載して前記ネットワークに接続可能な主催者端末が、前記エリア管理サーバにアクセスしてログインし、エリア指定権限付与サービスの実施条件を指定して申し込むことを特徴とする請求項４又は５記載の携帯端末の位置情報によるエリア指定権限付与方法。
【請求項７】
ネットワークに接続され、エリア指定権限付与サービスを提供するエリア管理サーバであって、
自らの位置を特定する機能を有すると共にブラウザを搭載して前記ネットワークに接続可能な携帯端末からアクセスされて、ホームページ上に提供したエリア指定権限付与に応募を受けた後、前記携帯端末から送信された現在位置情報を受けて、予め設定されたエリア内の前記携帯端末に対してエリア指定権限付与を行うことを特徴とするエリア管理サーバ。
【請求項８】
前記エリア管理サーバは、前記携帯端末からの現在位置情報を受けて、予め設定された期間内に設定エリア内に居る携帯端末の位置情報を記憶装置に蓄積し、
前記設定された期間内に設定エリア内に居る前記携帯端末に対してエリア指定権限付与の抽選を行うことを特徴とする請求項７記載のエリア管理サーバ。
【請求項９】
前記エリア管理サーバは、ブラウザを搭載して前記ネットワークに接続可能な主催者端末からアクセスされてログインを受け、エリア指定権限付与サービスの実施条件を指定した申し込みを受け付けることを特徴とする請求項７又は８記載のエリア管理サーバ。
【発明の詳細な説明】
【０００１】
【発明の属する技術分野】
本発明は、携帯端末の位置情報を利用してエリア指定権限付与サービスを提供するシステムに関する。
【０００２】
【従来の技術】
従来、インターネットを利用して宝くじサイトを設け、ユーザが自宅のパソコンから宝くじの購入を可能とするシステムがある。このシステムでは、Ｅメールやホームページからの応募により、ユーザ情報として固定の住所情報を入力し、くじ等の申し込み及び抽選が行われていた（例えば、特許文献１参照）。
【０００３】
また、センタ側で登録された位置を端末装置に保持させ、その位置に到達した端末装置のユーザに対して懸賞を与えることが可能な情報配信方法が開示されている（例えば、特許文献２参照）。
【０００４】
【特許文献１】
特開２００２−９９６６５号公報
【特許文献２】
特開２００２−３６９２３４号公報（段落〔００４５〕）
【０００５】
【発明が解決しようとする課題】
しかしながら、インターネットで募集するくじ等のイベントは、特定地域／特定店舗への集客とは無関係に実施される問題があった。
【０００６】
また、ユーザが現在居る位置に意味づけした抽出が行えず、応募者全員が対象となる問題があった。
【０００７】
そこで本発明は、携帯端末の位置情報を利用して、エリア指定懸賞に応募したユーザから送信される位置情報を元に指定されたエリア内か否かの判別を行い、エリア内のユーザに対して抽選を行う、携帯端末の位置情報によるエリア指定権限付与システムを提供することを目的とする。
【０００８】
【課題を解決するための手段】
上述の課題を解決するため、本発明は、ネットワークに接続され、エリア指定権限付与サービスを提供するエリア管理サーバと、自らの位置を特定する機能を有すると共にブラウザを搭載して前記ネットワークに接続可能な携帯端末とを備え、前記携帯端末は、前記エリア管理サーバにアクセスしてホームページ上に提供されたエリア指定権限付与に応募し、前記位置特定機能により自らの位置を特定して前記エリア管理サーバに現在位置情報を送信し、前記エリア管理サーバは、前記携帯端末からの現在位置情報を受けて、予め設定された期間内に設定エリア内に居る携帯端末の位置情報を記憶装置に蓄積し、前記設定された期間内に設定エリア内に居る前記携帯端末に対してエリア指定権限付与の抽選を行うことを特徴とする。
【０００９】
【発明の実施の形態】
次に、本発明の実施の形態について図面を参照して説明する。なお、以下の説明でネットワークは、インターネットとするがイントラネットでも良い。
【００１０】
図１は、本発明のシステム構成を示す。エリア指定懸賞サービスを提供するＡＳＰ（Ａｐｐｌｉｃａｔｉｏｎ  Ｓｅｒｖｉｃｅ  Ｐｒｏｖｉｄｅｒ）によって運営されるエリア管理サーバ１は、インターネット２に接続され、Ｗｅｂサーバ機能とｍａｉｌサーバ機能とを有し、メモリに格納された制御プログラムによって以下に説明する各機能を実現する。また、サービスを利用する企業及び個人の会員登録データベースを有する。サービス利用企業が使用する企業端末５は、Ｅメール送受信機能を有すると共にＪａｖａ（米国Ｓｕｎ  Ｍｉｃｒｏｓｙｓｔｅｍｓ，  Ｉｎｃ．の商標）仮想マシンを備えたブラウザを搭載し、インターネット２に接続可能なパーソナルコンピュータ等である。ユーザ端末４は、Ｅメール送受信機能を有すると共にＪａｖａ仮想マシンを備えたマイクロブラウザを搭載し、携帯電話交換網３を介してインターネット２に接続可能な携帯端末である。さらにユーザ端末４は、ＧＰＳ（Ｇｌｏｂａｌ  Ｐｏｓｉｔｉｏｎｉｎｇ  Ｓｙｓｔｅｍ）衛星６からの測位情報に基づき自らの位置を特定する機能を有する。
【００１１】
次に図２に示すフローチャートを参照して、本発明によるエリア指定懸賞方法の実行手順を説明する。
【００１２】
まずエリア指定懸賞を実施したい企業は、エリア管理サーバ１のデータベースに主催者として会員登録を行う（Ｓ１）。この主催者会員の登録は有料である。会員企業は、エリアくじを実施したい場合、企業端末５からインターネット２を介して、エリア管理サーバ１にアクセスし、ログインする。
【００１３】
図３は、ログイン後の申し込み画面の一例を示す。懸賞名、懸賞品、懸賞個数（当選人数）、抽選対象エリア、抽選日時／期間、対象ユーザの属性（年齢、性別等）、商品受け渡し場所、自社広告情報等の実施条件を入力して、エリアくじの申し込みを行う（Ｓ２）。その際、実施日時による抽選確度の指定をすることもできる。この抽選確度は、１００％当選（応募した人の全てが当選）を指定することもできる。抽選エリア設定で「設定画面」をクリックすると、図４に示す抽選エリア設定画面が表示される。エリアで指定した場合、「地図参照」をクリックすることで、その部分の地図が表示される。
【００１４】
これらの情報が入力されると、エリア管理サーバ１は申し込みを受け付け、入力された情報を元にホームページ上に懸賞（エリアくじ）情報を表示し（Ｓ３）、ユーザからの申し込みを待ち受ける。
【００１５】
ユーザは、エリアくじに参加したい場合は、ユーザ端末４からインターネット２を介して、エリア管理サーバ１にアクセスし、そのデータベースに会員登録を行う（Ｓ４）。このユーザ会員の登録は無料である。図５は、その会員登録画面の一例を示す。ユーザの名前、電話番号、ｅ−ｍａｉｌアドレス等を入力し、エリア管理サーバ１のデータベースに会員登録する。
【００１６】
会員登録が済むと、現在どのような懸賞が行われているか検索を行う（Ｓ５）。図６は、その懸賞検索画面の一例を示す。図６（ａ）に示す懸賞検索画面に「応募懸賞名」等を入力すると、図６（ｂ）に示す懸賞検索結果が表示される。主催者側は、応募条件に、年齢、性別等を設定すれば、特定の商品に対する集客効果を期待できる。例えば、婦人服のバーゲンセールに対する集客を目的とする場合は、女性のみを対象とする等である。
【００１７】
エリアくじに応募する場合は、ユーザ端末４からエリア管理サーバ１にアクセスし、図７に示すエリアくじ応募画面を表示する。このエリアくじ応募画面では、Ｊａｖａアプレットがダウンロードされてアプリケーションプログラムが動作する。画面上部の十字のマークは、アプリケーションプログラムが動作することを示す。この画面で応募可能な懸賞名をプルダウン表示し、懸賞の選択を行う。
【００１８】
エリアくじの応募は、図８（ａ）に示すプル（ＰＵＬＬ）式と、図８（ｂ）に示すプッシュ（ＰＵＳＨ）式とがある。プル式は、ユーザがユーザ端末４を操作して、エリア管理サーバ１に懸賞の申し込みを行う。プッシュ式は、ユーザ端末４が、あらかじめ設定された時間ごとに、エリア管理サーバ１にアクセスしてＷｅｂ情報を取得するプッシュ表示機能を有し、エリアくじ応募情報を取得して、その取得した内容を画面に自動表示する。プル式、プッシュ式いずれもエリアくじに応募する場合は、ユーザはユーザＩＤを入力して、「応募」をクリックする（Ｓ６）。懸賞を実施する企業は、企業端末５からエリア管理サーバ１にアクセスして、ユーザの応募状況等の確認を行うことができる（Ｓ７）。
【００１９】
抽選開始の一定時間前に、エリア管理サーバ１は、エリアくじへの応募登録されたユーザ端末４へ、抽選開始のＥメールを送付する（Ｓ８）。ユーザは、抽選開始のＥメールを見て、エリアくじの実施されるエリア、すなわちデパートの店内や商店街に移動する。そして、ＧＰＳ衛星６からの測位情報に基づきユーザ端末４の現在位置情報を取得する（Ｓ９）。そして、エリア管理サーバ１にアクセスし、ユーザＩＤを入力して現在位置情報を送信する（Ｓ１０）。この現在位置情報の取得及び送信もプル式とプッシュ式とがある。プル式は、ユーザがユーザ端末４を操作して、現在位置情報の取得及び送信を行う。プッシュ式は、ユーザ端末４が抽選開始のＥメールを受けてＪａｖａアプレットが起動し、現在位置情報を自動取得し、エリア管理サーバ１にアクセスしてユーザＩＤと共に現在位置情報を送信する。
【００２０】
エリア管理サーバ１は、ユーザ端末４からの現在位置情報を受けて、抽選の開始時刻から終了時刻までの間に抽選エリア内に居るユーザ端末４の位置情報を記憶装置（ハードディスク等）に蓄積する（Ｓ１１）。そして、抽選を行う時刻になると、設定された抽選期間内に抽選エリア内に居るユーザ端末４に対し、抽選を実施する（Ｓ１２）。当選したユーザＩＤに対応しては、当選番号が付与される。そしてエリア管理サーバ１は、抽選結果及び当選番号、商品受け取り場所等を記した当選通知Ｅメールをユーザ端末４へ送付する（Ｓ１３）。図９は、そのメール表示画面の一例を示す。
【００２１】
また、エリア管理サーバ１は、抽選結果及び当選番号、商品受け取り場所等の当選情報をホームページ上に表示する（Ｓ１４）。エリアくじを実施した企業は、企業端末５からエリア管理サーバ１にアクセスし、当選番号等の当選情報を確認する（Ｓ１５）。
【００２２】
ユーザは、当選通知のＥメールを見て、ユーザ端末４からエリア管理サーバ１にアクセスし、ホームページ上で当選番号を確認し（Ｓ１６）、商品受け取り場所へ移動する。エリアくじの主催者は、商品を受け渡す際に、ユーザ端末４に表示された当選通知Ｅメールの当選番号によりユーザの確認を行い、ユーザに懸賞品を渡す。
【００２３】
本発明では、設定された抽選期間内に抽選エリア内に居る携帯端末の位置情報を蓄積するので、ユーザの属性（年齢、性別等）による行動パターンを解析することによって、ユーザの属性による興味の対象を知ることができる。すなわちＣＲＭ（Ｃｕｓｔｏｍｅｒ  Ｒｅｌａｔｉｏｎｓｈｉｐ  Ｍａｎａｇｅｍｅｎｔ）の手段としてユーザ端末の位置情報を利用することができる。
【００２４】
上記実施の形態では、ユーザ端末の位置特定機能にＧＰＳ衛星からの測位情報を用いたが、ユーザ端末にＰＨＳ（Ｐｅｒｓｏｎａｌ  Ｈａｎｄｙｐｈｏｎｅ  Ｓｙｓｔｅｍ）端末を用いて、ＰＨＳによる位置特定機能を用いることもできる。
【００２５】
また上記実施の形態では、権限付与を懸賞としているが、本発明はこれに限るものではなく、何らかの告知や通知であってもよい。例えば、権限付与に応募した人が指定エリアに来ると、次の指定エリアが通知されるといった形式で複数の指定エリアを誘導し、目的地に到達するミステリーツアーのような趣向の運営も可能である。
【００２６】
【発明の効果】
以上説明したように、本発明によれば、企業がエリアを指定してくじ等のイベントを開催できるため、自社店舗近くの商店街、イベント会場、駅などに来ている人を自社店舗へ誘導することができるという特定地域にいる人達を対象とした新たな集客手段になる。
【００２７】
ユーザにとっては、位置特定機能を有する携帯端末を持てば懸賞等の権限が付与される可能性がある等、イベントに参加できるメリットがある。
【００２８】
また、システムを提供するＡＳＰ又はエリアくじの実施企業は、蓄積したユーザ端末の位置情報を利用して、ユーザの属性による興味の対象を知ることができる。
【図面の簡単な説明】
【図１】本発明のシステム構成図である。
【図２】本発明のエリア指定懸賞方法の実行手順を説明するフローチャートである。
【図３】企業端末の申し込み画面の一例を示す図である。
【図４】企業端末の抽選エリア設定画面の一例を示す図である。
【図５】ユーザ端末の会員登録画面の一例を示す図である。
【図６】ユーザ端末の懸賞検索画面の一例を示す図である。
【図７】ユーザ端末のエリアくじ応募画面（懸賞の選択）の一例を示す図である。
【図８】ユーザ端末のエリアくじ応募画面の一例を示す図である。
【図９】ユーザ端末の当選通知Ｅメール表示画面の一例を示す図である。
【符号の説明】
１  エリア管理サーバ
２  インターネット
３  携帯電話交換網
４  ユーザ端末
５  企業端末
６  ＧＰＳ衛星
【図１】
2004254206.tif 000003
【図２】
2004254206.tif 000004
【図３】
2004254206.tif 000005
【図４】
2004254206.tif 000006
【図５】
2004254206.tif 000007
【図６】
2004254206.tif 000008
【図７】
2004254206.tif 000009
【図８】
2004254206.tif 000010
【図９】
2004254206.tif 000011